(57)【要約】【課題】外輪の内側端面と円すいころの端面との滑り接触による焼付きを抑える。【解決手段】外輪１１と、外輪１１の内周側に配置される内輪２０と、外輪１１と内輪２０間に配置され円周上等間隔に複数のポケット部３１、３６を有する保持器３０、３５と、ポケット部３１、３６に配置される複数の円すいころ４０、４５とを備えた円すいころ軸受において、ポケット部３１、３６と円すいころ４０、４５を円すいころ軸受の回転軸線方向に複数列配置し、各列の前記円すいころ４０、４５の大径側の端面に接触する内側端面２４ａ、２５ａを外輪１１に形成した。【選択図】図１
2012021557.tif 000002
【特許請求の範囲】
【請求項１】
外輪と、前記外輪の内周側に配置される内輪と、前記外輪と前記内輪間に配置され円周上等間隔に複数のポケット部を有する保持器と、前記ポケット部に配置される複数の円すいころとを備えた円すいころ軸受において、
前記ポケット部と前記円すいころを前記円すいころ軸受の回転軸線方向に複数列配置し、各列の円すいころの回転軸線が前記円すいころ軸受の回転軸線に対し同方向に傾斜しており、各列の前記円すいころの大径側の端面に接触する内側端面を列毎に前記内輪に形成したことを特徴とする円すいころ軸受。
【請求項２】
請求項１に記載の円すいころ軸受において、
１つの保持器に前記ポケット部を前記円すいころ軸受の回転軸線方向に複数列配置したことを特徴とする円すいころ軸受。
【請求項３】
請求項１に記載の円すいころ軸受において、
前記保持器を前記円すいころ軸受の回転軸線方向に複数配置し、保持器毎にポケット部を設けたことを特徴とする円すいころ軸受。
【発明の詳細な説明】
【技術分野】
【０００１】
本発明は、外輪と内輪間に複数の円すいころと保持器を配置した円すいころ軸受に関する。
【背景技術】
【０００２】
従来の円すいころ軸受として、特許文献１に開示されたものがある。
【０００３】
図３に示す円すいころ軸受１００は、主に外輪１０１と、外輪１０１の内周側に配置された内輪１０２と、外輪１０１と内輪１０２間に配置された複数の円すいころ１０３と、円すいころ１０３を円周上等間隔に保持する保持器１０４とからなっている。
【０００４】
前記保持器１０４には円周上等間隔にポケット部１０４ａが設けられ、各ポケット部１０４ａに前記円すいころ１０３が回転可能に保持されている。前記外輪１０１には前記円すいころ１０３を挟んで、一方に小径側鍔部１０３ａが、他方に大径側鍔部１０３ｂが形成されている。小径側鍔部１０３ａには円すいころ１０３の小径側の端面に接触する小径側内側端面１０３ｃが形成され、大径側鍔部１０３ｂには円すいころ１０３の大径側の端面に接触する大径側内側端面１０３ｄが形成されている。
【先行技術文献】
【特許文献】
【０００５】
【特許文献１】特許第４３１４４３０号公報
【発明の概要】
【発明が解決しようとする課題】
【０００６】
前記外輪１０１をハウジング１１０の内周面１１１に嵌め込み、前記内輪１０３を回転軸１１２の外周面１１３に嵌め込んで使用した場合、回転軸１１２にかかるスラスト荷重を回転軸１１２の鍔部１１４、大径側鍔部１０３ｂ、円すいころ１０３、外輪１０１を介してハウジング１１０の段部１１５で受け止めることが出来る。このとき、円すいころ１０３の端面と大径側鍔部１０３ｂの大径側内側端面１０３ｄとが滑り接触し、この滑り接触する箇所へ潤滑油が供給されて焼付きを防いでいるが、前記滑り接触する部分にかかる前記スラスト荷重が余りにも大きいと焼付く恐れがあった。
【課題を解決するための手段】
【０００７】
請求項１に記載の発明は、外輪と、前記外輪の内周側に配置される内輪と、前記外輪と前記内輪間に配置され円周上等間隔に複数のポケット部を有する保持器と、前記ポケット部に配置される複数の円すいころとを備えた円すいころ軸受において、前記ポケット部と前記円すいころを前記円すいころ軸受の回転軸線方向に複数列配置し、各列の円すいころの回転軸線が前記円すいころ軸受の回転軸線に対し同方向に傾斜しており、各列の前記円すいころの大径側の端面に接触する内側端面を列毎に前記内輪に形成したものである。
【０００８】
この構成によれば、スラスト荷重が複数の内側端面に分散され、内側端面と円すいころの端面との滑り接触による焼付きが抑えられる。
【０００９】
請求項２に記載の発明は、請求項１に記載の円すいころ軸受において、１つの保持器に前記ポケット部を前記円すいころ軸受の回転軸線方向に複数列配置したものである。
【００１０】
この構成によれば、部品点数が少なくなり、安価に製造できる。
【００１１】
請求項３に記載の発明は、請求項１に記載の円すいころ軸受において、前記保持器を前記円すいころ軸受の回転軸線方向に複数配置し、保持器毎にポケット部を設けた。
【００１２】
この構成によれば、円すいころの形状、大きさ、位置、傾きを自由に設計でき、設計の自由度が高い。
【発明の効果】
【００１３】
本発明によれば、スラスト荷重が複数の内側端面に分散され、内側端面と円すいころの端面との滑り接触による焼付きが抑えられる。
【図面の簡単な説明】
【００１４】
【図１】本発明の実施形態における円すいころ軸受の全体断面図である。
【図２】本発明の他の実施形態における円すいころ軸受の全体断面図である。
【図３】従来の円すいころ軸受の断面図である。
【発明を実施するための形態】
【００１５】
本発明の一実施形態について、図１を参酌しつつ説明する。図１は２つの保持器を使った円すいころ軸受の全体断面図である。
【００１６】
図１に示すように、円すいころ軸受１０は、リング状の外輪１１と、外輪１１の内周側に配置されるリング状の内輪２０と、外輪１１と内輪２０間に配置されるリング状の第１の保持器３０、外輪１１と内輪２０間に配置されるリング状の第２の保持器３５と、第１の保持器３０に保持される複数の第１の円すいころ４０と、第２の保持器３５に保持される複数の第２の円すいころ４５とからなっている。前記第１の保持器３０と前記第２の保持器３５は、互いに円すいころ軸受１０の回転軸線方向にずらして設けられ、図１において、左側が第１の保持器３０であり、右側が第２の保持器３５である。
【００１７】
前記外輪１１の内周面には、外輪１１の軸線に対して傾斜した第１の転動面１２と第２の転動面１３が形成されている。前記第１の転動面１２と前記第２の転動面１３は、互いに円すいころ軸受１０の回転軸線方向にずらして設けられ、図１において、左側が第１の転動面１２であり、右側が第２の転動面１３である。
【００１８】
前記内輪２０の外周面には、内輪２０の軸線に対して傾斜した第１の転動面２１と第２の転動面２２が形成されている。前記第１の転動面２１と前記第２の転動面２２は、互いに円すいころ軸受１０の回転軸線方向にずらして設けられ、図１において、左側が第１の転動面２１であり、右側が第２の転動面２２である。
【００１９】
第１の転動面２１を挟んで小径側に半径方向外方へ突出した小径側鍔部２３が形成され、第１の転動面２１を挟んで大径側に半径方向外方へ突出した中径側鍔部２４が形成されている。第２の転動面２２を挟んで小径側に前記中径側鍔部２４が配置され、第２の転動面２２を挟んで大径側に半径方向外方へ突出した大径側鍔部２５が形成されている。
【００２０】
小径側鍔部２３の第１の円すいころ４０側の端面には、第１の円すいころ４０の小径側端面に接触する小径側内側端面２３ａが形成されている。中径側鍔部２４の第１の円すいころ４０側の端面には、第１の円すいころ４０の大径側端面に接触する第１の中径側内側端面２４ａが形成されている。中径側鍔部２４の第２の円すいころ４５側の端面には、第２の円すいころ４５の小径側端面に接触する第２の中径側内側端面２４ｂが形成されている。大径側鍔部２５の第２の円すいころ４５側の端面には、第２の円すいころ４５の大径側端面に接触する大径側内側端面２５ａが形成されている。
【００２１】
前記第１の保持器３０には円周上等間隔に第１のポケット部３１が形成され、各第１のポケット部３１に前記第１の円すいころ４０が保持されている。前記第２の保持器３５には円周上等間隔に第２のポケット部３６が形成され、各第２のポケット部３６に前記第２の円すいころ４５が保持されている。
【００２２】
続いて上述した構成に基いて、作用について説明する。
【００２３】
外輪１１に対して内輪２０が回転すると、第１の円すいころ４０は第１の転動面１２上と第１の転動面２１上を転動しながら内輪２０の回転方向と同方向に移動し、第２の円すいころ４５は第２の転動面１３上と第２の転動面２２上を転動しながら内輪２０の回転方向と同方向に移動する。第１の円すいころ４０の転動によって第１の保持器３０が内輪２０と同方向に回転し、第２の円すいころ４５の転動によって第２の保持器３５が内輪２０と同方向に回転する。
【００２４】
内輪２０に軸方向のスラスト力が作用すると、第１の円すいころ４０の大径側の端面が第１の中径側内側端面２４ａに接触し、第２の円すいころ４５の大径側の端面が大径側内側端面２５ａに接触する。さらに第１の円すいころ４０と第２の円すいころ４５を介して外輪１１に前記スラスト力が作用する。第１の円すいころ４０の大径側の端面と第１の中径側内側端面２４ａ間は滑り接触するため、焼付きが発生しやすい。同様に第２の円すいころ４５の大径側の端面と大径側内側端面２５ａ間も滑り接触するため、焼付きが発生しやすい。外輪１１と内輪２０間に図略の潤滑油が存在し、この潤滑油が先程の滑り接触面に供給されるので、焼付きが抑えられる。内輪２０に作用する軸方向のスラスト力は、第１の中径側内側端面２４ａと大径側内側端面２５ａに分散して受け止められるので、より焼付きが発生しにくい。
【００２５】
組付け上、第２の転動面１３は第１の転動面１２より大径に形成されている。しかも、第１の円すいころ４０と第２の円すいころ４５に対し内輪２０は一つしかないため、第１の円すいころ４０の転動による内輪２０の回転速度と、第２の円すいころ４５の転動による内輪２０の回転速度をほぼ同一にする必要がある。内輪２０の回転速度がほぼ同一となるよう、第２の円すいころ４５は第１の円すいころ４０より大径に形成され、第２の転動面２２は第１の転動面２１より大径に形成されている。
【００２６】
続いて、本発明の他の実施形態について、図２を参酌しつつ説明する。図２は１つの保持器を使った円すいころ軸受の全体断面図である。
【００２７】
図２に示すように、円すいころ軸受５０は、リング状の外輪５１と、外輪５１の内周側に配置されるリング状の内輪６０と、外輪５１と内輪６０間に配置されるリング状の保持器７０と、保持器７０に保持される複数の第１の円すいころ８０と、同じく保持器７０に保持される複数の第２の円すいころ８５とからなっている。前記第１の円すいころ８０と前記第２の円すいころ８５は、互いに円すいころ軸受５０の回転軸線方向にずらして設けられ、図１において、左側が第１の円すいころ８０であり、右側が第２の円すいころ８５である。
【００２８】
前記外輪５１の内周面には、外輪５１の軸線に対して傾斜した第１の転動面５２と第２の転動面５３が形成されている。前記第１の転動面５２と前記第２の転動面５３は、互いに円すいころ軸受１０の回転軸線方向にずらして設けられ、図２において、左側が第１の転動面５２であり、右側が第２の転動面５３である。第２の転動面５３は、第１の転動面５２の延長線上にあり、第１の転動面５２と第２の転動面５３は同一の傾きを有する。
【００２９】
前記内輪６０の外周面には、内輪６０の軸線に対して傾斜した第１の転動面６１と第２の転動面６２が形成されている。前記第１の転動面６１と前記第２の転動面６２は、互いに円すいころ軸受５０の回転軸線方向にずらして設けられ、図２において、左側が第１の転動面６１であり、右側が第２の転動面６２である。第２の転動面６２は、第１の転動面６２の延長線上にあり、第１の転動面６１と第２の転動面６２は同一の傾きを有する。
【００３０】
第１の転動面６１を挟んで小径側に半径方向外方へ突出した小径側鍔部６３が形成され、第１の転動面６１を挟んで大径側に半径方向外方へ突出した中径側鍔部６４が形成されている。第２の転動面６２を挟んで小径側に前記中径側鍔部６４が配置され、第２の転動面６２を挟んで大径側に半径方向外方へ突出した大径側鍔部６５が形成されている。
【００３１】
小径側鍔部６３の第１の円すいころ８０側の端面には、第１の円すいころ８０の小径側端面に接触する小径側内側端面６３ａが形成されている。中径側鍔部６４の第１の円すいころ８０側の端面には、第１の円すいころ８０の大径側端面に接触する第１の中径側内側端面６４ａが形成されている。中径側鍔部６４の第２の円すいころ８５側の端面には、第２の円すいころ８５の小径側端面に接触する第２の中径側内側端面６４ｂが形成されている。大径側鍔部６５の第２の円すいころ８５側の端面には、第２の円すいころ８５の大径側端面に接触する大径側内側端面６５ａが形成されている。
【００３２】
前記保持器７０には円周上等間隔に第１のポケット部７１が形成され、各第１のポケット部７１に前記第１の円すいころ８０が保持されている。また保持器７０には円周上等間隔に第２のポケット部７６が形成され、各第２のポケット部７６に前記第２の円すいころ８５が保持されている。前記第１のポケット部７１と前記第２のポケット部７６は、互いに円すいころ軸受５０の回転軸線方向にずらして設けられ、図２において、左側が第１のポケット部７１であり、右側が第２のポケット部７６である。
【００３３】
続いて上述した構成に基いて、作用について説明する。
【００３４】
外輪５１に対して内輪６０が回転すると、第１の円すいころ８０は第１の転動面５２上と第１の転動面６１上を転動しながら内輪６０の回転方向と同方向に移動し、第２の円すいころ８５は第２の転動面５３上と第２の転動面６２上を転動しながら内輪６０の回転方向と同方向に移動する。第１の円すいころ８０と第２の円すいころ８５の転動によっての保持器７０が内輪６０と同方向に回転する。
【００３５】
内輪６０に軸方向のスラスト力が作用すると、第１の円すいころ８０の大径側の端面が第１の中径側内側端面６４ａに接触し、第２の円すいころ８５の大径側の端面が大径側内側端面６５ａに接触する。さらに第１の円すいころ８０と第２の円すいころ８５を介して外輪５１に前記スラスト力が作用する。第１の円すいころ８０の大径側の端面と第１の中径側内側端面６４ａ間は滑り接触するため、焼付きが発生しやすい。同様に第２の円すいころ８５の大径側の端面と大径側内側端面６５ａ間も滑り接触するため、焼付きが発生しやすい。外輪５１と内輪６０間に図略の潤滑油が存在し、この潤滑油が先程の滑り接触面に供給されるので、焼付きが抑えられる。内輪６０に作用する軸方向のスラスト力は、第１の中径側内側端面６４ａと大径側内側端面６５ａに分散して受け止められるので、より焼付きが発生しにくい。
【００３６】
組付け上、第２の転動面５３は第１の転動面５２より大径に形成されている。しかも、第１の円すいころ８０と第２の円すいころ８５に対し内輪６０は一つしかないため、第１の円すいころ４０の転動による内輪２０の回転速度と、第２の円すいころ４５の転動による内輪２０の回転速度をほぼ同一にする必要がある。さらに第１の円すいころ８０と第２の円すいころ８５に対し保持器７０は一つしかないため、第１の円すいころ８０の転動による保持器７０の回転速度と、第２の円すいころ８５の転動による保持器７０の回転速度をほぼ同一にする必要がある。第１の円すいころ８０の転動による内輪６０の回転速度と、第２の円すいころ８５の転動による内輪６０の回転速度をほぼ同一となるよう、かつ、第１の円すいころ８０の転動による保持器７０の回転速度と、第２の円すいころ８５の転動による保持器７０の回転速度をほぼ同一となるよう、第２の円すいころ８５は第１の円すいころ８０より大径に形成され、第２の転動面６２は第１の転動面６１より大径に形成されている。
【００３７】
図１に示すように、２つの保持器３０、３５を使用した場合、保持器３０、３５をそれぞれの回転速度で回転させることが出来るため、円すいころ４０、４５の形状、大きさ、位置、傾きを自由に設計でき、設計の自由度が高い。
【００３８】
図２に示すように、１つの保持器７０を使用した場合、部品点数が少ない分だけ安価に製造できる。また、第２の転動面５３が第１の転動面５２の延長線上にあるため、加工が容易となり、安価に製造できる。
【００３９】
本発明はこうした実施形態に何等限定されるものではなく、本発明の要旨を逸脱しない範囲において、種々なる態様で実施し得ることは勿論である。
【００４０】
保持器３０、３５、７０の材質は、金属に限らず、樹脂でも良い。保持器に円すいころを挿入し、円すいころの内周側に内輪を挿入したときに、内輪によって円すいころが押し上げられるため、保持器の柱部分（隣同士の円すいころを隔てている部分）が半径方向外方へ膨らむ。保持器が樹脂で作られていると、先程の膨らみは内輪の挿入完了とともに樹脂自体の弾性力により元に戻りやすい。
【００４１】
本実施例は、外輪に対して内輪を回転させ、内輪にスラスト力を作用させる例について述べたが、内輪に対して外輪を回転させ、外輪にスラスト力を作用させても良い。滑り接触による焼付きの抑えについて、同様な効果が期待できる。
【符号の説明】
【００４２】
１１：外輪、２０：内輪、２４ａ：第１の中径側内側端面、２５ａ：大径側内側端面、３０：第１の保持器、３１：第１のポケット部、３５：第２の保持器、３６：第２のポケット部、４０：第１の円すいころ、４５：第２の円すいころ、５１：外輪、６０：内輪、６４ａ：第１の中径側内側端面、６５ａ：大径側内側端面、７０：保持器、７１：第１のポケット部、７２：第２のポケット部、８０：第１の円すいころ、８５：第２の円すいころ
【図１】
2012021557.tif 000003
【図２】
2012021557.tif 000004
【図３】
2012021557.tif 000005